(57)【要約】【課題】ＭＢＭＳサービスの継続性を考慮した効率的なセル再選択を可能とする。【解決手段】マルチメディア放送同報サービスを提供可能なセルを管理する基地局装置と、アクセス制限されたセルのグループに属する移動局装置と、から構成され、移動局装置が、在圏のマルチメディア放送同報サービスを提供可能なセルからアクセス制限されたセルを選択する通信システムであって、基地局装置は、移動局装置に対して、マルチメディア放送同報サービス情報を周期的に送信し（Ｓ１０１）、移動局装置は、アクセス制限されたセルを選択することによって、マルチメディア放送同報サービスを提供可能なセルから受信中のマルチメディア放送同報サービスを継続することが可能であり、アクセス制限されたセルの受信品質がセル再選択基準を満たした場合に、アクセス制限されたセルを選択する（Ｓ１０５）。【選択図】図３
2011234039.tif 000002
【特許請求の範囲】
【請求項１】
マルチメディア放送同報サービスを提供可能な第１のセルからアクセス制限された第２のセルを選択する移動局装置であって、
アクセス可能であると確認された前記第２のセルを選択することによって、在圏している前記第１のセルから受信中のマルチメディア放送同報サービスを継続することが可能であり、前記第２のセルの受信品質がセル再選択基準を満たした場合に、前記第２のセルを選択することを特徴とする移動局装置。
【請求項２】
自律的に検出した前記第２のセルから受信したマルチメディア放送同報サービス情報に基づいて、自律的に検出した前記第２のセルを選択することによって、前記第１のセルから受信中のマルチメディア放送同報サービスを継続することが可能であるか否かを判断することを特徴とする請求項１記載の移動局装置。
【請求項３】
前記第２のセルのマルチメディア放送同報サービスの提供能力を示すリストを備え、
前記リストに基づいて、自律的に検出した前記第２のセルを選択することによって、前記第１のセルから受信中のマルチメディア放送同報サービスを継続することが可能であるか否かを判断することを特徴とする請求項１記載の移動局装置。
【請求項４】
前記第２のセルを選択した後に、前記第１のセルから受信中のマルチメディア放送同報サービスの開始を、前記選択した第２のセルに対して要求することを特徴とする請求項１から請求項３のいずれかに記載の移動局装置。
【請求項５】
マルチメディア放送同報サービスを提供可能な第１のセルを管理する基地局装置と、アクセス制限された第２のセルのグループに属する移動局装置と、から構成され、前記移動局装置が、在圏している前記第１のセルから前記第２のセルを選択する通信システムであって、
前記基地局装置は、前記移動局装置に対して、マルチメディア放送同報サービス情報を周期的に送信し、
前記移動局装置は、アクセス可能であると確認された前記第２のセルを選択することによって、前記第１のセルから受信中のマルチメディア放送同報サービスを継続することが可能であり、前記第２のセルの受信品質がセル再選択基準を満たした場合に、前記第２のセルを選択することを特徴とする通信システム。
【請求項６】
前記移動局装置は、自律的に検出した前記第２のセルから受信したマルチメディア放送同報サービス情報に基づいて、自律的に検出した前記第２のセルを選択することによって、前記第１のセルから受信中のマルチメディア放送同報サービスを継続することが可能であるか否かを判断することを特徴とする請求項５記載の通信システム。
【請求項７】
前記移動局装置は、前記第２のセルのマルチメディア放送同報サービスの提供能力を示すリストを備え、前記リストに基づいて、自律的に検出した前記第２のセルを選択することによって、在圏している前記第１のセルから受信中のマルチメディア放送同報サービスを継続することが可能であるか否かを判断することを特徴とする請求項５記載の通信システム。
【請求項８】
前記移動局装置は、前記第２のセルを選択した後に、前記第１のセルから受信中のマルチメディア放送同報サービスの開始を、前記選択した第２のセルに対して要求することを特徴とする請求項５から請求項７のいずれかに記載の通信システム。
【請求項９】
マルチメディア放送同報サービスを制御する上位の制御局装置を更に備え、
前記基地局装置は、前記移動局装置からマルチメディア放送同報サービスの開始を要求された場合に、前記制御局装置に対して、マルチメディア放送同報サービスの送信を要求することを特徴とする請求項８記載の通信システム。
【請求項１０】
マルチメディア放送同報サービスを提供可能な第１のセルを管理する基地局装置と、アクセス制限された第２のセルのグループに属する移動局装置と、から構成され、前記移動局装置が、在圏している前記第１のセルから前記第２のセルを選択する通信システムのセル再選択方法であって、
前記基地局装置において、前記移動局装置に対して、マルチメディア放送同報サービス情報を周期的に送信するステップと、
前記移動局装置において、アクセス可能であると確認された前記第２のセルを選択することによって、前記第１のセルから受信中のマルチメディア放送同報サービスを継続することが可能であるかどうかを判断するステップと、
前記判断の結果、前記第２のセルを選択することによって、前記第１のセルから受信中のマルチメディア放送同報サービスを継続することが可能である場合、前記第２のセルの受信品質がセル再選択基準を満たしているかどうかを判断するステップと、
前記判断の結果、前記第２のセルの受信品質がセル再選択基準を満たしている場合、前記第２のセルを選択するステップと、を少なくとも含むことを特徴とするセル再選択方法。
【請求項１１】
マルチメディア放送同報サービスを提供可能な第１のセルまたはアクセス制限された第２のセルを選択する移動局装置の制御プログラムであって、
アクセス可能であると確認された前記第２のセルを選択することによって、在圏している前記第１のセルから受信中のマルチメディア放送同報サービスを継続することが可能であるかどうかを判断する処理と、
前記判断の結果、前記第２のセルを選択することによって、前記第１のセルから受信中のマルチメディア放送同報サービスを継続することが可能である場合、前記第２のセルの受信品質がセル再選択基準を満たしているかどうかを判断する処理と、
前記判断の結果、前記第２のセルの受信品質がセル再選択基準を満たしている場合、前記第２のセルを選択する処理と、を含む一連の処理を、コンピュータに読み取り可能および実行可能にコマンド化したことを特徴とする移動局装置の制御プログラム。
【請求項１２】
移動局装置に実装されることにより、前記移動局装置に複数の機能を発揮させる集積回路であって、
マルチメディア放送同報サービスを提供可能な第１のセルまたはアクセス制限された第２のセルを選択する機能と、
アクセス可能であると確認された前記第２のセルを選択することによって、在圏している前記第１のセルから受信中のマルチメディア放送同報サービスを継続することが可能であるかどうかを判断する機能と、
前記判断の結果、前記第２のセルを選択することによって、前記第１のセルから受信中のマルチメディア放送同報サービスを継続することが可能である場合、前記第２のセルの受信品質がセル再選択基準を満たしているかどうかを判断する機能と、
前記判断の結果、前記第２のセルの受信品質がセル再選択基準を満たしている場合、前記第２のセルを選択する機能と、を含む一連の機能を、前記移動局装置に発揮させることを特徴とする集積回路。
【発明の詳細な説明】
【技術分野】
【０００１】
本発明は、通信システム、移動局装置、基地局装置、セル再選択方法および集積回路に関し、特に、移動局装置がＭＢＭＳ受信を行なっている場合のセル再選択方式に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の議論が行なわれている。また、３ＧＰＰでは、より高速なデータ伝送を実現し、ＥＵＴＲＡの上位互換性を持つＡｄｖａｎｃｅｄ  ＥＵＴＲＡの議論が開始されている。
【０００３】
ＥＵＴＲＡ、およびＡｄｖａｎｃｅｄ  ＥＵＴＲＡにおいて、マルチメディアブロードキャスト／マルチキャストサービス（Multimedia Broadcast Multicast Service;マルチメディア放送同報サービス、以下MBMSと称する）の実施が検討されている。ＭＢＭＳは、同一のマルチキャストデータ（マルチメディアデータ）を複数の受信者へ共通的に通知する同報サービスである。また、ＭＢＭＳの送信過程でセル間を移動する移動局装置が周波数切り替えを行なうことによるサービスの中断が生じることを減らすために、単一周波数ネットワーク（Single Frequency Network;SFN）の搬送波でＭＢＭＳを送信するＭＢＳＦＮ（MBMS over Single Frequency Network；マルチメディア同報通信単一周波数ネットワーク）の仕組みが検討されている。ＭＢＭＳには、ＭＢＳＦＮによって各セルが協調して同一のマルチキャストデータを送信する方法（マルチメディア同報通信単一周波数ネットワーク;Shared MBSFN）と、各セル別に位置するユーザーの数によって一対一（Point-to-Point;以下、PtPと称する）または一対多（Point-to-Multipoint；以下、PtMと称する）接続による送信方法がある。
【０００４】
ＭＢＭＳによって提供される同報サービスは、ＭＢＭＳサービスまたはＭＢＭＳセッションとも称される（以後、MBMSサービスと略す）。ＭＢＭＳサービスのうち、移動局装置（ユーザー）が興味のあるＭＢＭＳサービスは、サービス全体の一部である場合が存在することを考慮すると、移動局装置が興味のあるＭＢＭＳサービスのみを受信するための仕組みが必要である。特許文献１では、ＭＢＭＳサービスを選択するための優先周波数（Preferred Layer;PL）が基地局装置より通知され、ＭＢＭＳサービスに興味のある移動局装置は、優先周波数の測定結果に対してオフセットを付加することで優先周波数を受信周波数として優先的に選択可能な仕組みについて説明されている。
【０００５】
図６は、ＭＢＭＳサービスと周波数との関係について示した図である。図に示すように、空間的に同一のエリアに位置し、互いに異なる周波数で運用される周波数Ｆ１と周波数Ｆ２を考える。周波数Ｆ１と周波数Ｆ２では、それぞれ異なる第１のＭＢＭＳサービスと第２のＭＢＭＳサービスが提供されている。このとき、基地局装置から優先周波数として周波数Ｆ１が指定された場合、移動局装置は、周波数Ｆ１の測定結果に対してオフセット値を加えることで実際の測定結果よりも高品質な結果を得る。その結果、移動局装置は周波数Ｆ１を受信周波数として優先的に選択することができる。
【０００６】
更に、現在、家庭やオフィスに設置されるホーム基地局装置の検討が３ＧＰＰにおけて検討されている。３ＧＰＰが規定する第３世代のホーム基地局装置はホームノードＢ（Home NodeB）と称される。また、ＥＵＴＲＡおよびＡｄｖａｎｃｅｄ  ＥＵＴＲＡにおけるホーム基地局装置は、ホームイーノードＢ（Home eNodeB）と称される。ホーム基地局装置は通常の基地局装置と同様に、移動局装置と通信可能なエリア（セル）を周波数毎に管理し、当該セルはホームセルと称される。ホームセルは、移動局装置と通信可能なエリアの大きさに応じてフェムトセルやピコセルとも称される。また、通信中の基地局装置のセルは在圏セルであり、通信していない基地局装置のセルは周辺セルと称される。また、特定のユーザー（移動局装置）をグループに事前に登録することによって、グループに属するユーザーのみがアクセス可能なアクセス制限を設けたセルのことをＣＳＧ（Closed Subscriber Group）セルと称す。すなわち、当該ＣＳＧセルのグループに属する移動局装置は、アクセス可能なＣＳＧセルのことを適切なセル（suitable cell）とみなしてアクセスし、当該ＣＳＧセルのグループに属さない移動局装置は、ＣＳＧセルのことを許容されるセル（acceptable cell）とみなし、緊急呼（emergency call）のような高優先度の通信以外はアクセスが制限される。
【０００７】
ＣＳＧセルは、アクセス制限のない通常のセルと区別するために、少なくともＣＳＧ−ＩＤを報知情報によって送信する。移動局装置は、一つ以上のＣＳＧ−ＩＤが格納されるＣＳＧセルリスト（CSGホワイトリスト、または許可CSGリストとも称する）を内部に持ち、報知情報のＣＳＧ−ＩＤとＣＳＧセルリスト内のＣＳＧ−ＩＤとを照合することでＣＳＧセルに対してアクセス可能かどうかの確認を行なう。
【０００８】
非特許文献１では、待ち受け状態にある移動局装置がＣＳＧセル、およびその他のセルに対してセル再選択を行なう方法について説明されている。非特許文献２では、ＣＳＧセルとＭＢＭＳサービスを提供するセルの周波数の優先度を共に最優先に設定してセル再選択を行なう仕組みについて説明されている。
【先行技術文献】
【特許文献】
【０００９】
【特許文献１】特許第４３３９３８０号公報
【非特許文献】
【００１０】
【非特許文献１】Nokia Corporation, Nokia Siemens Networks,R2-096562,3GPP TSG-RAN2 Meeting #68,Jeju,Korea,9-13 November,2009
【非特許文献２】3GPP,TS36.304,User Equipment (UE) procedures in idle mode, V9.1.0. 2010-01-05http://www.3gpp.org/ftp/Specs/html-info/36304.htm
【発明の概要】
【発明が解決しようとする課題】
【００１１】
しかしながら、特許文献１および非特許文献１では、ＣＳＧセルがＭＢＭＳサービスを提供しているかどうかに基づいたセル再選択（セルリセレクション；cell re-selection）方法は考慮されていない。また、非特許文献２に示す方法は、移動局装置が、ＭＢＭＳサービスを提供している周波数（周波数レイヤ）と、ＣＳＧセルの周波数とを、いずれも最優先に設定し、どちらを選択するかは移動局装置が決めて良いことになっている。しかしながら、このような方法は、ＭＢＭＳサービスを適用している移動局装置が、セル再選択によりＭＢＭＳサービスを提供していないＣＳＧセルへ移動した場合、ユーザーは当該ＣＳＧセルではＭＢＭＳサービスを享受できなくなり、サービス継続性の観点から望ましくない。
【００１２】
本発明は、上記の課題を鑑みてなされたものであり、ＭＢＭＳサービスの継続性を考慮した効率的なセル再選択を可能とする移動局装置、通信システム、セル再選択方法および集積回路を提供することを目的とする。
【課題を解決するための手段】
【００１３】
上記の目的を達成するために、本発明は、以下のような手段を講じた。すなわち、本発明の通信システムは、マルチメディア放送同報サービスを提供可能なセルを管理する基地局装置と、アクセス制限されたセルのグループに少なくとも一つ以上属する移動局装置を備え、前記移動局装置が前記マルチメディア放送同報サービスを提供可能なセルから前記アクセス制限されたセルを選択する通信システムであって、前記基地局装置は、提供可能なマルチメディア放送同報サービス情報を周期的に送信し、前記移動局装置は、グループに属する前記アクセス制限されたセルを選択しても受信中のマルチメディア放送同報サービスが継続されると判断した場合に、前記アクセス制限されたセルが配置される周波数の優先度に係わらず受信品質のみに基づき前記アクセス制限されたセルを選択することを特徴とする。
【００１４】
（１）上記の目的を達成するために、本発明は、以下のような手段を講じた。すなわち、本発明の移動局装置は、マルチメディア放送同報サービスを提供可能な第１のセルからアクセス制限された第２のセルを選択する移動局装置であって、アクセス可能であると確認された前記第２のセルを選択することによって、在圏している前記第１のセルから受信中のマルチメディア放送同報サービスを継続することが可能であり、前記第２のセルの受信品質がセル再選択基準を満たした場合に、前記第２のセルを選択することを特徴とする。
【００１５】
このように、移動局装置が、アクセス可能であると確認された第２のセルを選択することによって、在圏している第１のセルから受信中のマルチメディア放送同報サービスを継続することが可能であり、第２のセルの受信品質がセル再選択基準を満たした場合に、第２のセルを選択するので、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００１６】
（２）また、本発明の移動局装置において、自律的に検出した前記第２のセルから受信したマルチメディア放送同報サービス情報に基づいて、自律的に検出した前記第２のセルを選択することによって、前記第１のセルから受信中のマルチメディア放送同報サービスを継続することが可能であるか否かを判断することを特徴とする。
【００１７】
このように、移動局装置は、自律的に検出した第２のセルから受信したマルチメディア放送同報サービス情報に基づいて、自律的に検出した第２のセルを選択することによって、第１のセルから受信中のマルチメディア放送同報サービスを継続することが可能であるか否かを判断するので、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００１８】
（３）また、本発明の移動局装置において、前記第２のセルのマルチメディア放送同報サービスの提供能力を示すリストを備え、前記リストに基づいて、自律的に検出した前記第２のセルを選択することによって、前記第１のセルから受信中のマルチメディア放送同報サービスを継続することが可能であるか否かを判断することを特徴とする。
【００１９】
このように、移動局装置は、第２のセルのマルチメディア放送同報サービスの提供能力を示すリストを備え、リストに基づいて、自律的に検出した第２のセルを選択することによって、第１のセルから受信中のマルチメディア放送同報サービスを継続することが可能であるか否かを判断するので、ＭＢＭＳサービスに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。更に、移動局装置は、ＣＳＧセルから報知情報を取得する必要が無くなり、処理が簡略化される。
【００２０】
（４）また、本発明の移動局装置において、前記第２のセルを選択した後に、前記第１のセルから受信中のマルチメディア放送同報サービスの開始を、前記選択した第２のセルに対して要求することを特徴とする。
【００２１】
このように、移動局装置が、第２のセルを選択した後に、前記第１のセルから受信中のマルチメディア放送同報サービスの開始を、前記選択した第２のセルに対して要求するので、ＭＢＭＳに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。また、基地局装置は、移動局装置が受信中のＭＢＭＳを必要に応じて要求するため、送信の必要がない場合はＭＢＭＳサービスを提供しなくて良いため、スケジューリングの自由度が上がる。
【００２２】
（５）また、本発明の通信システムは、マルチメディア放送同報サービスを提供可能な第１のセルを管理する基地局装置と、アクセス制限された第２のセルのグループに属する移動局装置と、から構成され、前記移動局装置が、在圏している前記第１のセルから前記第２のセルを選択する通信システムであって、前記基地局装置は、前記移動局装置に対して、マルチメディア放送同報サービス情報を周期的に送信し、前記移動局装置は、アクセス可能であると確認された前記第２のセルを選択することによって、前記第１のセルから受信中のマルチメディア放送同報サービスを継続することが可能であり、前記第２のセルの受信品質がセル再選択基準を満たした場合に、前記第２のセルを選択することを特徴とする。
【００２３】
このように、移動局装置が、アクセス可能であると確認された第２のセルを選択することによって、第１のセルから受信中のマルチメディア放送同報サービスを継続することが可能であり、第２のセルの受信品質がセル再選択基準を満たした場合に、第２のセルを選択するので、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００２４】
（６）また、本発明の通信システムにおいて、前記移動局装置は、自律的に検出した前記第２のセルから受信したマルチメディア放送同報サービス情報に基づいて、自律的に検出した前記第２のセルを選択することによって、前記第１のセルから受信中のマルチメディア放送同報サービスを継続することが可能であるか否かを判断することを特徴とする。
【００２５】
このように、移動局装置が、自律的に検出した第２のセルから受信したマルチメディア放送同報サービス情報に基づいて、自律的に検出した第２のセルを選択することによって、第１のセルから受信中のマルチメディア放送同報サービスを継続することが可能であるか否かを判断するので、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００２６】
（７）また、本発明の通信システムにおいて、前記移動局装置は、前記第２のセルのマルチメディア放送同報サービスの提供能力を示すリストを備え、前記リストに基づいて、自律的に検出した前記第２のセルを選択することによって、在圏している前記第１のセルから受信中のマルチメディア放送同報サービスを継続することが可能であるか否かを判断することを特徴とする。
【００２７】
このように、移動局装置が、第２のセルのマルチメディア放送同報サービスの提供能力を示すリストを備え、リストに基づいて、自律的に検出した第２のセルを選択することによって、在圏している第１のセルから受信中のマルチメディア放送同報サービスを継続することが可能であるか否かを判断するので、ＭＢＭＳサービスに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。更に、移動局装置は、ＣＳＧセルから報知情報を取得する必要が無くなり、処理が簡略化される。
【００２８】
（８）また、本発明の通信システムにおいて、前記移動局装置は、前記第２のセルを選択した後に、前記第１のセルから受信中のマルチメディア放送同報サービスの開始を、前記選択した第２のセルに対して要求することを特徴とする。
【００２９】
このように、移動局装置が、第２のセルを選択した後に、第１のセルから受信中のマルチメディア放送同報サービスの開始を、選択した第２のセルに対して要求するので、ＭＢＭＳに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。また、基地局装置は、移動局装置が受信中のＭＢＭＳを必要に応じて要求するため、送信の必要がない場合はＭＢＭＳサービスを提供しなくて良いため、スケジューリングの自由度が上がる。
【００３０】
（９）また、本発明の通信システムにおいて、マルチメディア放送同報サービスを制御する上位の制御局装置を更に備え、前記基地局装置は、前記移動局装置からマルチメディア放送同報サービスの開始を要求された場合に、前記制御局装置に対して、マルチメディア放送同報サービスの送信を要求することを特徴とする。
【００３１】
このように、基地局装置が、移動局装置からマルチメディア放送同報サービスの開始を要求された場合に、制御局装置に対して、マルチメディア放送同報サービスの送信を要求するので、ＭＢＭＳに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。また、基地局装置は、移動局装置が受信中のＭＢＭＳを必要に応じて要求するため、送信の必要がない場合はＭＢＭＳサービスを提供しなくて良いため、スケジューリングの自由度が上がる。
【００３２】
（１０）また、本発明のセル再選択方法は、マルチメディア放送同報サービスを提供可能な第１のセルを管理する基地局装置と、アクセス制限された第２のセルのグループに属する移動局装置と、から構成され、前記移動局装置が、在圏している前記第１のセルから前記第２のセルを選択する通信システムのセル再選択方法であって、前記基地局装置において、前記移動局装置に対して、マルチメディア放送同報サービス情報を周期的に送信するステップと、前記移動局装置において、アクセス可能であると確認された前記第２のセルを選択することによって、前記第１のセルから受信中のマルチメディア放送同報サービスを継続することが可能であるかどうかを判断するステップと、前記判断の結果、前記第２のセルを選択することによって、前記第１のセルから受信中のマルチメディア放送同報サービスを継続することが可能である場合、前記第２のセルの受信品質がセル再選択基準を満たしているかどうかを判断するステップと、前記判断の結果、前記第２のセルの受信品質がセル再選択基準を満たしている場合、前記第２のセルを選択するステップと、を少なくとも含むことを特徴とする。
【００３３】
このように、移動局装置は、アクセス可能であると確認された第２のセルを選択することによって、第１のセルから受信中のマルチメディア放送同報サービスを継続することが可能であるかどうかを判断し、判断の結果、第２のセルを選択することによって、第１のセルから受信中のマルチメディア放送同報サービスを継続することが可能である場合、第２のセルの受信品質がセル再選択基準を満たしているかどうかを判断し、判断の結果、第２のセルの受信品質がセル再選択基準を満たしている場合、第２のセルを選択する。これにより、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００３４】
（１１）また、本発明の移動局装置の制御プログラムは、マルチメディア放送同報サービスを提供可能な第１のセルまたはアクセス制限された第２のセルを選択する移動局装置の制御プログラムであって、アクセス可能であると確認された前記第２のセルを選択することによって、在圏している前記第１のセルから受信中のマルチメディア放送同報サービスを継続することが可能であるかどうかを判断する処理と、前記判断の結果、前記第２のセルを選択することによって、前記第１のセルから受信中のマルチメディア放送同報サービスを継続することが可能である場合、前記第２のセルの受信品質がセル再選択基準を満たしているかどうかを判断する処理と、前記判断の結果、前記第２のセルの受信品質がセル再選択基準を満たしている場合、前記第２のセルを選択する処理と、を含む一連の処理を、コンピュータに読み取り可能および実行可能にコマンド化したことを特徴とする。
【００３５】
このように、移動局装置は、アクセス可能であると確認された第２のセルを選択することによって、在圏している第１のセルから受信中のマルチメディア放送同報サービスを継続することが可能であるかどうかを判断し、判断の結果、第２のセルを選択することによって、第１のセルから受信中のマルチメディア放送同報サービスを継続することが可能である場合、第２のセルの受信品質がセル再選択基準を満たしているかどうかを判断し、判断の結果、第２のセルの受信品質がセル再選択基準を満たしている場合、第２のセルを選択する。これにより、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００３６】
（１２）また、本発明の集積回路は、移動局装置に実装されることにより、前記移動局装置に複数の機能を発揮させる集積回路であって、マルチメディア放送同報サービスを提供可能な第１のセルまたはアクセス制限された第２のセルを選択する機能と、アクセス可能であると確認された前記第２のセルを選択することによって、在圏している前記第１のセルから受信中のマルチメディア放送同報サービスを継続することが可能であるかどうかを判断する機能と、前記判断の結果、前記第２のセルを選択することによって、前記第１のセルから受信中のマルチメディア放送同報サービスを継続することが可能である場合、前記第２のセルの受信品質がセル再選択基準を満たしているかどうかを判断する機能と、前記判断の結果、前記第２のセルの受信品質がセル再選択基準を満たしている場合、前記第２のセルを選択する機能と、を含む一連の機能を、前記移動局装置に発揮させることを特徴とする。
【００３７】
このように、移動局装置は、アクセス可能であると確認された第２のセルを選択することによって、在圏している第１のセルから受信中のマルチメディア放送同報サービスを継続することが可能であるかどうかを判断し、判断の結果、第２のセルを選択することによって、第１のセルから受信中のマルチメディア放送同報サービスを継続することが可能である場合、第２のセルの受信品質がセル再選択基準を満たしているかどうかを判断し、判断の結果、第２のセルの受信品質がセル再選択基準を満たしている場合、第２のセルを選択する。これにより、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００３８】
本明細書では、移動局装置におけるセル再選択方法の改良という点において本発明を開示するが、中核となる概念はセル再選択方法に特に限定されず、他の状況にも適用することができる。また、本発明が適用可能な通信方式は、ＥＵＴＲＡまたはＡｄｖａｎｃｅｄ  ＥＵＴＲＡのようにＥＵＴＲＡと上位互換性のある通信方式に限定されるものではない。
【発明の効果】
【００３９】
本発明の実施形態によれば、ＭＢＭＳサービスの継続性を考慮した効率的な通信システム、移動局装置、基地局装置、セル再選択方法および集積回路を提供することができる。
【図面の簡単な説明】
【００４０】
【図１】本発明の基地局装置の一例を示すブロック図である。
【図２】本発明の移動局装置の一例を示すブロック図である。
【図３】本発明の第１の実施形態に係る移動局装置がセル再選択する際に、ＭＢＭＳサービスの継続性の有無に応じてセル再選択を行なう方法について示したシーケンスチャートである。
【図４】本発明の第１の実施形態に係る移動局装置におけるセル再選択処理について説明したフローチャートである。
【図５】本発明の第２の実施形態に係る移動局装置がセル再選択する際に、ＭＢＭＳサービスの継続性の有無に応じてセル再選択を行なう方法について示したシーケンスチャートである。
【図６】ＭＢＭＳサービスと周波数との関係について示した図である。
【図７】マルチキャストデータとユニキャストデータを時分割多重して送信する例を示す図である。
【発明を実施するための形態】
【００４１】
本発明の実施形態を説明する前に、本発明に関わる物理チャネル、ＭＢＭＳについて簡単に説明する。
【００４２】
（１）物理チャネル
ＥＵＴＲＡおよびＡｄｖａｎｃｅｄ  ＥＵＴＲＡで使用される主な物理チャネル（または物理シグナル）について説明を行なう。物理チャネルは、ＥＵＴＲＡ、およびＡｄｖａｎｃｅｄ  ＥＵＴＲＡにおいて、今後追加、または、その構造が変更される可能性もあるが、変更された場合でも本発明の各実施形態の説明には影響しない。同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルID：Physical Cell Identity; PCI）と、無線同期のためのフレームタイミングが示される。移動局装置は、セルサーチによって受信した同期シグナルのセルＩＤを特定する。
【００４３】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）などが通知される。セルがＣＳＧセルであれば、報知情報によってＣＳＧ−ＩＤが通知される。セルがＭＢＭＳサービスを提供可能であれば、報知情報によってＭＢＭＳ−ＩＤが通知される。
【００４４】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンク共用チャネルの復調のための参照用の信号としても下りリンクリファレンスシグナルを使用する。下りリファレンスシグナルのうち、復調用として移動局装置に個別に送信される下りリファレンスシグナルのことを、特に移動局装置固有リファレンスシグナル（UE specific reference signals）と呼ぶ。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００４５】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割り当て情報を下りリンク制御チャネルから取得する必要がある。
【００４６】
上りリンク制御チャネル（PUCCH; Physical Uplink Control Channel）は、下りリンク共用チャネルで送信されたデータの受信確認応答や下りリンクの伝搬路情報（CQI:Channel Quality Indicator）、上りリンクの無線リソース要求であるスケジューリングリクエスト（SR:Scheduling Request）を行なうために使用される。
【００４７】
下りリンク共用チャネル（PDSCH; Physical Downlink Shared Channel）は、下りリンクデータの他、下りリンク制御データであるレイヤ３メッセージとしてページングや報知情報を通知するためにも使用される。下りリンク共用チャネルの無線リソース割り当て情報は、下りリンク制御チャネルで示される。また、下りリンク共用チャネルは、後述するマルチキャストデータ（MBMSデータ）の送信にも用いられる。物理マルチキャストチャネル（PMCH;Physical Multicast Channel）は、ＭＢＭＳサービスを提供するためのマルチキャストデータ（MBMSデータ）を送信する。物理マルチキャストチャネルはＭＢＳＦＮサブフレームで送信され、下りリンク制御チャネルとサブフレーム内で時間多重される。
【００４８】
ＭＢＳＦＮリファレンスシグナル（MBSFN-RS;MBSFN Reference signals）は、物理マルチキャストチャネルと同時に送信され、物理マルチキャストチャネルの復調のための参照用の信号として用いる。上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンク共用チャネルの無線リソース割り当て情報は、下りリンク制御チャネルで示される。
【００４９】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の無線リソース要求や、上りリンク送信タイミングを基地局装置の受信タイミングウィンドウに合わせるために必要な送信タイミング調整情報（タイミングアドバンス（TA:Timing Advance）とも呼ばれる）を基地局装置に要求するためにランダムアクセスチャネルを用いる。送信タイミング調整情報を受信した移動局装置は、送信タイミング調整情報の有効時間（TA timer）を設定し、有効時間中は送信タイミング調整状態、有効期間外は、送信タイミング非調整状態として状態を管理する。基地局装置は、移動局装置に対して個別プリアンブル系列（Dedicated preamble）を割り当てて、ランダムアクセスを開始させることも可能である。なお、それ以外の物理チャネルは、本発明の各実施形態に関わらないため詳細な説明は省略する。
【００５０】
（２）ＭＢＭＳ
ＭＢＭＳサービスは、待ち受け状態（RRC_IDLE mode）の移動局装置と、通信中状態（RRC_CONNECTED mode）の移動局装置の両方が享受できる。ＭＢＭＳサービスを提供するセルとしては、ユニキャスト送信（単一セルから個々の移動局装置へ向けてのユニキャストデータ（下りリンクデータ）を送信）のために利用される周波数と異なる周波数を利用してマルチキャスト送信（マルチキャストデータを送信）を専門に行なうセル（MBMS Dedicated Cell）と、ユニキャスト送信のために利用される周波数を利用してマルチキャスト送信とユニキャスト送信の双方を行なうミックスドセル（MBMS/Unicast-mixed Cell）の２つがあり、これらいずれかのセルを用いてマルチキャストデータを送信することで、複数移動局装置（ユーザー）に対して同時にＭＢＭＳサービスを提供する。ミックスドセルの場合、マルチキャスト送信とユニキャスト送信とは時分割で多重される。
【００５１】
図７は、マルチキャストデータとユニキャストデータを時分割多重して送信する例を示す図である。図７にミックスドセルにおけるマルチキャスト送信とユニキャスト送信の配置例を示す。ＭＢＭＳサービスを含むフレームと、フレーム中のどのサブフレームをＭＢＭＳサービスに使用するかはＭＢＳＦＮエリア毎に共通的に定められている。この配置情報は共通サブフレーム割り当て（Common Subframe Allocation）パターンと呼ばれ、基地局装置より移動局装置へ報知情報などを用いて予めパターンが通知されており、移動局装置ではどのサブフレームにおいてマルチキャストデータが送信されるかを知ることができる。ＭＢＭＳサービスが提供される可能性のあるサブフレームをＭＢＳＦＮサブフレームと呼び、ＭＢＳＦＮサブフレームを含むフレームをＭＢＳＦＮフレームと呼ぶ。ユニキャストデータが配置されるサブフレームをユニキャストサブフレームと呼ぶ。
【００５２】
なお、ＭＢＳＦＮサブフレームであっても、マルチキャストデータ以外の別の任意のデータを送信（または非送信）することも可能である。移動局装置は、マルチキャストデータが送信されるＯＦＤＭシンボルでは、下りリンクリファレンスシグナルの受信を行なわない。一方、ＰｔＰ（Point-to-Point）またはＰｔＭ（Point-to-Multipoint）接続では、通常のユニキャストデータの送信に用いられる無線リソースを用いてマルチキャストデータが送信される。
【００５３】
ＭＢＭＳサービスで提供されるマルチキャストデータの内容は、ＭＢＭＳサービスを同定するための識別子であるＭＢＭＳ−ＩＤ（TMGI(Temporary Mobile Group Identity)、MBMSセッションIDや、MBMSサービスIDなど）によって識別される。ＭＢＭＳ−ＩＤは、報知情報によってセル内の移動局装置に通知される。あるいは、基地局装置は、接続中の移動局装置に対して個別にＭＢＭＳ−ＩＤを通知する。ＭＢＭＳ−ＩＤは、ＭＢＳＦＮサブフレームに配置される論理チャネルであるマルチキャスト制御チャネル（MCCH;Multicast Control Channel）を用いて通知される方法と、個別制御チャネル（DCCH;Dedicated Control Channel）を用いて通知される方法がある。マルチキャストデータの送信を示すマルチキャストチャネルサブフレーム割り当て（MCH Subframe Allocation;MSA）は、ＭＣＣＨで通知される。基地局装置は、ＭＢＭＳ−ＩＤを用いて、移動局装置に対してＭＢＭＳサービスの開始とスケジューリングの情報（MCH scheduling information）、およびＭＢＭＳサービスの停止（MSA end）を示すことができる。
【００５４】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判断される場合には、その詳細な説明を省略する。
【００５５】
＜第１の実施形態＞
本発明の第１の実施形態について以下に説明する。本実施形態は、移動局装置が、セルを再選択する際にＭＢＭＳサービスの提供の有無を考慮したセル再選択の方法について示す。
【００５６】
図１は、本発明の基地局装置の一例を示すブロック図である。本基地局装置は、受信部１０１、復調部１０３、復号部１０５、上位レイヤ１０７、符号部１０９、変調部１１１、ＲＳ生成部１１３、ＭＢＳＦＮ−ＲＳ生成部１１５、多重部１１７、送信部１１９、制御部１２１、ネットワーク信号送受信部１２３から構成される。
【００５７】
上位レイヤ１０７は、下りリンクデータと下りリンク制御データを符号部１０９へ入力する。符号部１０９は、入力されたデータを符号化し、変調部１１１へ入力する。変調部１１１は、符号化した信号の変調を行なう。また、符号部１０９から出力される信号とＲＳ生成部１１３で生成される下りリンクリファレンスシグナルは、多重部１１７にて周波数領域にマッピングされる。また、同様に、マルチキャストデータが符号部１０９へ入力され、符号化されたデータは変調部１１１へ出力される。変調部１１１で変調されたマルチキャストデータは、ＭＢＳＦＮ−ＲＳ生成部１１５から生成されるＭＢＳＦＮ  リファレンスシグナルと多重部１１７にて周波数領域にマッピングされる。多重部１１７からの出力信号は、送信部に入力される。送信部は、周波数領域の信号を時間領域の信号へ変換し、既定の周波数の搬送波にのせて電力増幅を行ない送信される。
【００５８】
また、受信部１０１は、移動局装置から受信した信号をベースバンドのデジタル信号に変換する。デジタル信号は、復調部１０３へ入力されて復調される。復調部１０３で復調された信号は続いて復号部１０５へ入力されて復号され、正しく復号された上りリンク制御データや上りリンクデータを上位レイヤ１０７へと出力する。これら各ブロックの制御に必要な制御情報は、上位レイヤ１０７より制御部へ入力され、制御部より送信に関連する制御情報は送信制御情報として、符号部１０９、変調部１１１、ＲＳ生成部１１３、多重部１１７、送信部の各ブロックに、受信に関連する制御情報は受信制御情報として、受信部１０１、復調部１０３、復号部１０５の各ブロックに適切に入力される。なお、基地局装置がＭＢＳＦＮサブフレームによるマルチキャスト送信を行なわない場合、ＭＢＳＦＮ−ＲＳ生成部１１５を省略した構成も可能である。ネットワーク信号送受信部１２３は、基地局装置間、あるいは制御局装置（ＭＭＥ、またはゲートウェイ装置（ＧＷ））と基地局装置との間の制御メッセージを送受信し、上位レイヤ１０７と互いに制御メッセージデータを通知する。図１において、その他の基地局装置の構成要素は本実施形態に関係ないため省略してある。
【００５９】
図２は、本発明の移動局装置の一例を示すブロック図である。本移動局装置は、受信部２０１、復調部２０３、復号部２０５、上位レイヤ２０７、測定処理部２０９、マルチキャストデータ受信処理部２１１、ランダムアクセス制御部２１３、符号部２１５、変調部２１７、送信部２１９、送信帯域設定部２２１、制御部２２３から構成される。受信に先立ち、上位レイヤ２０７より制御部２２３へ制御情報が入力され、受信に関する制御情報が受信制御情報として、受信部２０１、復調部２０３、復号部２０５へ適切に入力される。受信制御情報は、受信周波数帯域の情報の他に、ＭＢＭＳ情報（MBMS-ID、MBSFNサブフレーム情報、MBMSサービス情報など）や、各チャネルに関する受信タイミング、多重方法、リソース配置情報などの情報が含まれている。上位レイヤ２０７は、無線リソース制御を執り行なうＲＲＣ（Radio Resource Control）と非アクセス階層のプロトコル（アクセス方式に依存しないプロトコル）制御を執り行なうＮＡＳ（Non Access Stratum）を含む。また、ランダムアクセス制御部２１３は、データリンク層を管理するＭＡＣ（Medium Access Control）の一部として機能する。
【００６０】
受信信号は、受信部２０１において受信される。受信部２０１は、受信制御情報で指定された周波数帯域で信号を受信する。受信された信号は、復調部２０３へと入力される。復調部２０３は、受信信号の復調を行ない、復号部２０５へと信号を入力して下りリンクデータと下りリンク制御データとを正しく復号し、復号された各データを上位レイヤ２０７へと入力する。また、復号部２０５は、ＭＢＭＳ情報に基づき、ユニキャストサブフレームとＭＢＳＦＮサブフレームを識別し、前記識別に従ってマルチキャストデータを受信する。マルチキャストデータは、マルチキャストデータ受信処理部２１１に入力され、受信するＭＢＭＳサービスを提供しているマルチキャストデータを取得して上位レイヤ２０７へ送信する。下りリンク制御データは測定処理部２０９にも入力される。測定処理部２０９は、セル毎の下りリンクリファレンスシグナルまたはＭＢＳＦＮサブフレームで送信されるＭＢＳＦＮリファレンスシグナル（MBSFN-RS）の受信品質の測定や、下りリンク制御チャネルまたは下りリンクデータチャネルの受信誤り率を測定結果に基づいて測定情報を生成し、測定情報を上位レイヤ２０７へと出力する。
【００６１】
また、送信に先立ち、上位レイヤ２０７より制御部２２３へ制御情報が入力され、送信に関する制御情報が送信制御情報として、ランダムアクセス制御部２１３、符号部２１５、変調部２１７、送信帯域設定部２２１へ適切に入力される。送信制御情報は、送信信号の上りリンクスケジューリング情報として、符号情報、変調情報、送信周波数帯域の情報、各チャネルに関する送信タイミング、多重方法、リソース配置情報などの情報が含まれている。ランダムアクセス情報はランダムアクセス制御部２１３に入力され、ランダムアクセスデータが生成される。ランダムアクセス情報には、プリアンブル情報や送信リソース情報などが含まれる。符号部２１５には、前記ランダムアクセスデータのほか、上位レイヤ２０７より上りリンクデータと上りリンク制御データとが入力される。符号部２１５は送信制御情報に従い、各データを適切に符号化し、変調部２１７に出力する。変調部２１７は、符号部２１５からの出力を変調する。送信帯域設定部２２１は、各送信部２１９に対して送信する周波数帯域を設定する。送信部２１９は、変調部２１７の出力を周波数領域にマッピングすると共に、周波数領域の信号を時間領域の信号へ変換し、既定の周波数の搬送波にのせて電力増幅を行ない送信する。
【００６２】
また、移動局装置は、ＣＳＧセルの位置を検出し、アクセス可能なＣＳＧセル（第２のセル）であるか否かを検証する機能を有している。すなわち、移動局装置は、ＣＳＧセルリスト内に報知情報で通知されたＣＳＧ−ＩＤが格納されている場合に当該ＣＳＧセルにアクセス可能であると判断する。これらＣＳＧセルの位置の検出機能、およびアクセス可能なＣＳＧセルの検証機能は、移動局装置の上位レイヤ２０７が持つことが好適であるが、任意の機能ブロックで実現されても良い。図２において、その他の移動局装置の構成要素は本実施形態に関係ないため省略してある。
【００６３】
図３は、本発明の第１の実施形態に係る移動局装置がセル再選択する際に、ＭＢＭＳサービスの継続性の有無に応じてセル再選択を行なう方法について示したシーケンスチャートである。図３では、移動局装置が、在圏セル（典型的にはマクロセル、第１のセル）においてある種のＭＢＭＳサービスを提供されている場合（ステップＳ１０１）を考える。移動局装置は、待ち受け状態（RRC_IDLE mode）である。ここで、移動局装置は、ＣＳＧセルからは遠いため、ＣＳＧセルからのＭＢＭＳサービスはまだ提供されていない（ステップＳ１０２）。また、移動局装置は一つ以上のＣＳＧ−ＩＤをＣＳＧセルリスト内に保持している。ここで、移動局装置が自律検出（autonomous detection）によるＣＳＧセル検出（ステップＳ１０３）によって、アクセス可能なＣＳＧセルに近づいたことで当該ＣＳＧセルから送信信号を受信可能となった場合、ＣＳＧセルである基地局装置からＭＢＭＳサービス情報を取得する（ステップＳ１０４）。
【００６４】
移動局装置が用いる自律検出の方法は任意で良い。自律検出の方法として、移動局装置は、周辺の複数のセルＩＤとのマッチングによって自局がアクセス可能なＣＳＧセルの位置を検出することが出来る。また、移動局装置は、更にGPS/GNSS（Global Positioning System/Global Navigation Satellite System）機能部を備え、上位レイヤ２０７またはその他の適切なブロックがGPS/GNSS機能部からの出力を参照することによって自局がアクセス可能なＣＳＧセルの位置を検出することが出来る。ＭＢＭＳサービス情報は、ＭＣＣＨまたはＤＣＣＨによってＣＳＧセルの基地局装置から送信される。ＭＢＭＳサービス情報は、好適には報知情報として周期的に送信される。移動局装置は、ＭＢＭＳサービス情報を受信することでＣＳＧセルが提供しているＭＢＭＳのサービス内容を把握することが可能となる。移動局装置は、ＭＢＭＳサービス情報を移動局装置が自律的に設定した任意のタイミングで受信する。そして、在圏セルのＭＢＭＳサービスを継続できるのであれば、移動局装置は、ＣＳＧセルを考慮したセル再選択手順に従い、ＣＳＧセルの受信品質に基づいてセル再選択処理を行ない（ステップＳ１０５）、ＣＳＧセルへとセルリセレクションすると共に、ＭＢＭＳサービスをＣＳＧセルから提供される（ステップＳ１０６）。なお、移動局装置は、ＭＢＭＳサービスを継続できない場合、アクセス可能なＣＳＧセルを検出しても、アクセス可能なＣＳＧセルを考慮しない従来のセル再選択手順を行なう。
【００６５】
より具体的には、ＣＳＧセルが在圏セルで受信しているＭＢＭＳサービスを継続できるのであれば、移動局装置は、当該ＣＳＧセルについては、配置されている周波数の優先度の値を最大の優先度とみなし、ＣＳＧセルの受信品質（RSRP、RSRQ、パスロスなど）が在圏セルの受信品質よりも一定時間上回った場合にセル再選択を行なう。このとき、移動局装置は、周波数毎またはセル毎に指定された各種オフセット値を考慮する。また、ＣＳＧセルが在圏セルのＭＢＭＳサービスを継続できないのであれば、移動局装置は当該ＣＳＧセルが配置されている周波数の優先度を従来の優先度から変更せずに、報知情報で指定された周波数の優先度を用いた従来のセル再選択基準に基づいてセル再選択を行なう。なお、移動局装置がＭＢＭＳサービスを受けない場合、アクセス可能なＣＳＧセルを考慮したセル再選択基準に復帰する。
【００６６】
図４は、本発明の第１の実施形態に係る移動局装置におけるセル再選択処理について説明したフローチャートである。まず、移動局装置は、アクセス可能なＣＳＧセルを自律検出した場合、当該ＣＳＧセルからＭＢＭＳサービス情報を取得する（ステップＳ２０１）。そして、移動局装置は、在圏セルで受信中のＭＢＭＳサービスがＣＳＧセルに対してセル再選択した場合であっても継続可能かどうかの確認を行なう（ステップＳ２０２）。そして、ＣＳＧセルで同様のＭＢＭＳサービスが継続可能であると判定した場合（ステップＳ２０２：YES）、移動局装置は、当該ＣＳＧセルについては、当該ＣＳＧセルが配置されている周波数の優先度の値を最大に設定してセル再選択手順を開始する。そして、ＣＳＧセルの受信品質がセル再選択基準を満たした場合（ステップＳ２０３：YES）、ＣＳＧセルを選択してセル再選択処理を完了する（ステップＳ２０４）。
【００６７】
一方、移動局装置は、ＣＳＧセルで同様のＭＢＭＳサービスが継続不可能であると判定した場合（ステップＳ２０２：NO）、または、ＣＳＧセルの受信品質がセル再選択基準を満たしていなければ（ステップＳ２０３：NO）、現在の在圏セルを選択し、セル再選択処理を完了する（ステップＳ２０５）。なお、移動局装置は、ＣＳＧセルにおいてＭＢＭＳサービスを継続できない場合であっても、ＣＳＧセルを考慮しない従来のセル再選択基準に基づいてＣＳＧセルが選択された場合は当該ＣＳＧセルを選択する。
【００６８】
なお、本実施形態で説明したセル再選択制御が実施可能か否かを示す情報を報知情報で指定しても良い。すなわち、図４に示したように、移動局装置がＭＢＭＳサービスの継続性に基づいてセル再選択方法を変更することが可能か否かを示す情報を在圏セル、またはＣＳＧセルの報知情報で指定しても良い。
【００６９】
このように、移動局装置は、セル再選択後に受信中のＭＢＭＳサービスが継続されないと判定した場合、アクセス可能なＣＳＧセルであっても、周波数の優先度を変更するなどのＣＳＧセルを考慮したセル再選択方法を適用しない。その一方、移動局装置は、ＭＢＭＳサービスに興味がない場合、または受信中のＭＢＭＳサービスがセル再選択後に継続されると判定した場合、アクセス可能なＣＳＧセルに対して、周波数の優先度を変更するなどのＣＳＧセルを考慮したセル再選択方法を適用する。以上のように、ＭＢＭＳサービスに興味のある移動局装置は、興味のあるＭＢＭＳサービスを提供しているセルを選択しやすくなるため、ＭＢＭＳサービスの継続性が向上し、効率的なＭＢＭＳ受信が可能となる。また、基地局装置は、移動局装置がＭＢＭＳサービスを継続するための情報を移動局装置に通知し、ＭＢＭＳサービスの継続性を向上させることが可能となる。
【００７０】
＜第２の実施形態＞
本発明の第２の実施形態について以下に説明する。第１の実施形態では、ＣＳＧセルの報知情報からＭＢＭＳサービスの継続性を確認し、確認結果に基づいてセル再選択処理を行なっていたが、アクセス可能なＣＳＧセルにおいては、移動局装置が事前にＣＳＧセルのＭＢＭＳ送信能力を把握している場合がある。そのため、第２の実施形態では、ＣＳＧセルからの報知情報ではなく、移動局装置が保持している内部情報（例えば、ＭＢＭＳサービスの提供能力を示すリスト）に基づいて、アクセス可能なＣＳＧセルでＭＢＭＳサービスが継続可能か否かを判定する。前記リストは、ＣＳＧセルリストであっても良い。すなわち、第２の実施形態の移動局装置は、図４におけるＣＳＧセルのＭＢＭＳサービス情報確認処理（ステップＳ２０１）を省略し、内部に保存している情報に基づいて判定する。移動局装置は、アクセス可能なＣＳＧセルのＭＢＭＳサービス情報を保持していない場合、または、所定の時間が経過して保持している情報の信頼性が疑わしい場合は、第１の実施形態の方法を用いても良い。
【００７１】
このように、第１の実施形態に加え、移動局装置は、ＣＳＧセルを考慮したセル再選択方法の適用の有無を、ＭＢＭＳサービス情報を受信することなく判定できる。以上のように、ＭＢＭＳサービスに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。更に、第１の実施形態に加え、移動局装置は、ＣＳＧセルから報知情報を取得する必要が無くなり、処理が簡略化される。
【００７２】
＜第３の実施形態＞
本発明の第３の実施形態について以下に説明する。第３の実施形態は、アクセス可能なＣＳＧセルがＭＢＭＳサービスを提供可能であるが、ＭＢＭＳサービスを開始していない場合の移動局装置のセル再選択の方法と、セル再選択後のＭＢＭＳサービスの継続方法について示す。
【００７３】
図５は、本発明の第２の実施形態に係る移動局装置がセル再選択する際に、ＭＢＭＳサービスの継続性の有無に応じてセル再選択を行なう方法について示したシーケンスチャートである。図３と異なる点は、ＣＳＧセルはＭＢＭＳデータの送信を開始していない点である。図５において、ＭＢＭＳサービス情報を受信することでＣＳＧセルが提供可能なＭＢＭＳのサービス内容を把握し、ＭＢＭＳサービス情報に基づいてセル再選択処理を行なうまでは（ステップＳ１０１〜１０５）、図３と同じであるため説明を略す。移動局装置は、セル再選択処理によってアクセス可能なＣＳＧセルを選択した場合で、当該ＣＳＧセルでＭＢＭＳサービスが提供されていなかった場合、ＣＳＧセルの基地局装置に対してＭＢＭＳ参加要求を送信する（ステップＳ３０１）。ＭＢＭＳ参加要求は、ランダムアクセス手順の後、上りリンク共用チャネルによりＲＲＣメッセージまたはＮＡＳメッセージで送信されることが好適である。ＭＢＭＳ参加要求には、提供して欲しい（すなわち、移動局装置が現在受信している）ＭＢＭＳサービスの識別子（MBMSセッションID、MBMSサービスID）を含めることもできる。
【００７４】
ＭＢＭＳ参加要求を移動局装置から受信したＣＳＧセルの基地局装置は、続いて上位制御局装置であるＭＢＭＳ制御局に対して、ＭＢＭＳサービスを要求する（ステップＳ３０２）。ＭＢＭＳ制御局とは、基地局装置に対してＭＢＭＳサービスの許可とリソース割り当てを取り扱うマルチセル・マルチキャストコーディネーションエンティティ（MCE; Multi-cell/multicast Coordination Entity）と、実際のＭＢＭＳデータのパケットを基地局装置に伝送するＥ−ＭＢＭＳゲートウェイ（E-MBMS Gateway）を含む。これらは、ネットワーク上に論理的に配置され、基地局装置と論理インターフェースで接続されている。なお、ＭＢＭＳ制御局の更に上位の制御局装置（MME）が存在しても良い。
【００７５】
図５に戻り、ＣＳＧセルの基地局装置は、ＭＢＭＳサービスの識別子によって同定されるＭＢＭＳデータパケットの送信要求を示すＭＢＭＳサービス要求メッセージを生成し、ＭＢＭＳ制御局に対して送信する（ステップＳ３０２）。ＭＢＭＳサービス要求メッセージを受信したＭＢＭＳ制御局は、ＭＢＭＳ設定メッセージをＣＳＧセルの基地局装置に対して送信する（ステップＳ３０３）。ＭＢＭＳ設定メッセージには、移動局装置に対してＭＢＭＳサービスを継続して提供可能とするための必要な情報（MBMS-ID、MSA、変調方式情報など）が設定されている。ＭＢＭＳ設定メッセージを受信したＣＳＧセルの基地局装置は、受信した情報に基づいて自局の設定を更新し、更新後に更新の正常完了を示すＭＢＭＳ設定完了メッセージをＭＢＭＳ制御局に送信する（ステップＳ３０４）。
【００７６】
続いて、ＣＳＧセルの基地局装置に対してＭＢＭＳ制御局よりＭＢＭＳデータが送信され（ステップＳ３０５）、ＣＳＧセルの基地局装置は、移動局装置に対してＭＢＭＳサービスの提供を開始する（ステップＳ３０６）。基地局装置は、基地局装置のスケジューリングや基地局装置能力に応じて、移動局装置に対して通信中状態のまま興味のあるＭＢＭＳデータを受信するか、待ち受け状態に移行してからＭＢＭＳデータを受信するかを決定する。移動局装置が待ち受け状態でＭＢＭＳデータを受信する場合、ランダムアクセス手順の後、基地局装置からＲＲＣメッセージである無線リソース接続解放（RRC connection release）が指示される。
【００７７】
ＣＳＧセルの基地局装置とＭＢＭＳ制御局の間の手順は、基地局装置またはＭＢＭＳ制御局の論理インターフェースの設定手順（configuration setup procedure）として実行されてもよい。同様に、ＣＳＧセルの基地局装置とＭＢＭＳ制御局の間の手順は、基地局装置またはＭＢＭＳ制御局の更新手順（configuration update procedure）として実行されても良い。また、ＭＢＭＳ設定メッセージは、ＭＢＭＳサービスの開始要求、例えばＭＢＭＳセッション開始メッセージと用いて実現されても良い。移動局装置は、ＣＳＧセルの基地局装置を経由してＭＢＭＳ制御局、またはＭＭＥに対して直接ＭＢＭＳ参加要求を送信しても良い。
【００７８】
このように、第１および第２の実施形態に加え、移動局装置は、ＭＢＭＳサービスを継続させるために、セル再選択後にＣＳＧセルの基地局装置に対してＭＢＭＳ参加要求を送信する。そして、ＣＳＧセルの基地局装置は、ＭＢＭＳ制御局に対し、移動局装置が要求したＭＢＭＳサービスを通知し、関連するＭＢＭＳデータの送信を要求する。ＭＢＭＳ制御局は、ＣＳＧセルの基地局装置の要求に基づき、対応するＭＢＭＳデータの送信を開始する。以上のように、ＭＢＭＳに興味のある移動局装置は、興味のあるＭＢＭＳサービスを提供しているセルを選択しやすくなるため、ＭＢＭＳサービスの継続性が向上し、ＭＢＭＳ受信を効率的に行なうことが可能となる。また、基地局装置は、移動局装置が受信中のＭＢＭＳを必要に応じて要求するため、送信の必要がない場合はＭＢＭＳサービスを提供しなくて良いため、スケジューリングの自由度が上がる。
【００７９】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、説明の便宜上、実施形態の移動局装置および基地局装置を機能的なブロック図を用いて説明したが、移動局装置および基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【００８０】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【００８１】
また、上記各実施形態に用いた移動局装置および基地局装置の各機能ブロック、または諸特徴は、典型的にはＩＣ（集積回路）であるＬＳＩを含む回路内で構成されてもよい。その場合、ＬＳＩの集積密度はどのような密度で実現されていても良い。各機能ブロックおよび諸特徴は個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【００８２】
以上、この発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【００８３】
１０１  受信部
１０３  復調部
１０５  復号部
１０７  上位レイヤ
１０９  符号部
１１１  変調部
１１３  ＲＳ生成部
１１５  ＭＢＳＦＮ−ＲＳ生成部
１１７  多重部
１１９  送信部
１２１  制御部
１２３  ネットワーク信号送受信部
２０１  受信部
２０３  復調部
２０５  復号部
２０７  上位レイヤ
２０９  測定処理部
２１１  マルチキャストデータ受信処理部
２１３  ランダムアクセス制御部
２１５  符号部
２１７  変調部
２１９  送信部
２２１  送信帯域設定部
２２３  制御部
【図１】
2011234039.tif 000003
【図２】
2011234039.tif 000004
【図３】
2011234039.tif 000005
【図４】
2011234039.tif 000006
【図５】
2011234039.tif 000007
【図６】
2011234039.tif 000008
【図７】
2011234039.tif 000009